(57)【要約】【課題】処理が複雑化することなしにボイスタグの登録作業を簡素化し、ハンズフリーシステム活用を促進することができる音声認識装置を提供する。【解決手段】マイク１５を介して入力された音声を認識してボイスタグに変換するボイスタグ変換部５と、車載された外部機器２０の所定の操作とボイスタグとが関連付けられて登録される記憶処理部６と、ボイスタグ変換部５により変換されたボイスタグを、記憶処理部６に登録されているボイスタグの中から検索して該当するボイスタグに関連付けられた所定の操作の操作信号を出力する操作信号出力７と、を備える音声認識装置であって、外部機器２０の所定の操作に対してボイスタグが未登録の場合、その所定の操作が外部機器２０によって実行され終了した後に、当該所定の操作に対してボイスタグを登録するボイスタグ登録部８を備えることを特徴とする。【選択図】図１
2010048874.tif 000002
【特許請求の範囲】
【請求項１】
音声入力が可能な音声入力手段を介して入力された音声を認識してボイスタグに変換するボイスタグ変換手段と、
車載された機器の所定の操作とボイスタグとが関連付けられて登録される記憶処理手段と、
前記ボイスタグ変換手段により変換されたボイスタグを、前記記憶処理手段に登録されているボイスタグの中から検索して該当するボイスタグに関連付けられた所定の操作の操作信号を出力する操作信号出力手段と、
を備える音声認識装置であって、
車載された機器の所定の操作に対してボイスタグが未登録の場合、その所定の操作が車載された機器によって実行され終了したときに、当該所定の操作に対してボイスタグを登録するボイスタグ登録手段を備えることを特徴とする音声認識装置。
【請求項２】
前記ボイスタグ登録手段によるボイスタグの登録の要否を設定する要否設定手段を備えることを特徴とする請求項１に記載の音声認識装置。
【請求項３】
前記車載された機器は、操作信号に従って発呼可能な通信機器であることを特徴とする請求項１又は２に記載の音声認識装置。
【請求項４】
前記車載された機器は、操作信号に従って少なくとも映像又は音楽を再生可能な再生装置であることを特徴とする請求項１又は２に記載の音声認識装置。
【請求項５】
前記車載された機器は、空気調和装置であることを特徴とする請求項１又は２に記載の音声認識装置。
【請求項６】
前記車載された機器は、カーナビゲーション装置であることを特徴とする請求項１又は２に記載の音声認識装置。
【発明の詳細な説明】
【技術分野】
【０００１】
この発明は、操作者の音声を認識する音声認識装置に関するものである。
【背景技術】
【０００２】
従来、自動車等の車両において、運転者等の操作者の音声を認識する音声認識装置が搭載されたものが知られている。この音声認識装置は、操作者の音声入力に基づいて車載機器の操作を行ういわゆるハンズフリーシステムの一部を構成するものであり、予め車載機器の操作に対して、操作者の音声によるタグ（以下、ボイスタグと称す）が登録可能となっている。そして、この音声認識装置により、操作者の入力に基づくボイスタグが認識された場合、このボイスタグに関連付けられて登録された所定の操作の操作信号が携帯電話などの車載機器に対して出力されて、操作信号に応じた処理が実行される。
他方、利用頻度が高い上述した電話機の通話終了時に、電話帳に未登録の着呼番号や発呼番号の電話帳への登録を促すものにおいて、着呼番号や発呼番号に対応する未登録の属性項目がある場合に電話帳への登録を促すものがある（例えば、特許文献１参照）。
【特許文献１】特開２００２−１３５３９８号公報
【発明の開示】
【発明が解決しようとする課題】
【０００３】
しかしながら、上述した従来のものは、電話帳に登録済みのデータに対して、予め個別にボイスタグを登録する必要があるため、ボイスタグの登録作業が煩雑になる。そのため、ボイスタグの登録がなされずに、ハンズフリーシステムがあまり活用されない場合があるという課題がある。
また、登録作業の負担を軽減すべく利用頻度の高い操作（番号）だけを抽出してボイスタグの登録を促すという構成も考えられるが、ボイスタグの登録作業自体は同様に行わなければならない。さらに、利用頻度を判断する処理を行うことで、全体の処理が複雑化してしまう虞がある。
【０００４】
この発明は、上記事情に鑑みてなされたものであり、処理が複雑化することなしにボイスタグの登録作業を簡素化し、ハンズフリーシステム活用を促進することができる音声認識装置を提供するものである。
【課題を解決するための手段】
【０００５】
上記の課題を解決するために、請求項１に記載した発明は、音声入力が可能な音声入力手段（例えば、実施の形態におけるマイク１５）を介して入力された音声を認識してボイスタグに変換するボイスタグ変換手段（例えば、実施の形態におけるボイスタグ変換部５）と、車載された機器（例えば、実施の形態における外部機器２０、ナビゲーションユニット２等）の所定の操作とボイスタグとが関連付けられて登録される記憶処理手段（例えば、実施の形態における記憶処理部６）と、前記ボイスタグ変換手段により変換されたボイスタグを、前記記憶処理手段に登録されているボイスタグの中から検索して該当するボイスタグに関連付けられた所定の操作の操作信号を出力する操作信号出力手段（例えば、実施の形態における操作信号出力部７）と、を備える音声認識装置であって、車載された機器の所定の操作に対してボイスタグが未登録の場合、その所定の操作が車載された機器によって実行され終了したとき、当該所定の操作に対してボイスタグを登録するボイスタグ登録手段（例えば、実施の形態におけるボイスタグ登録部８，１０８，２０８）を備えることを特徴とする。
【０００６】
請求項２に記載した発明は、請求項１に記載の発明において、前記ボイスタグ登録手段によるボイスタグの登録の要否を設定する要否設定手段（例えば、実施の形態における要否設定部９，１０９，２０９）を備えることを特徴とする。
【０００７】
請求項３に記載した発明は、請求項１又は２に記載の発明において、前記車載された機器は、操作信号に従って発呼可能な通信機器（例えば、実施の形態における携帯電話機）であることを特徴とする。
【０００８】
請求項４に記載した発明は、請求項１又は２に記載の発明において、前記車載された機器は、操作信号に従って少なくとも映像又は音楽を再生可能な再生装置（例えば、実施の形態におけるマルチメディアプレーヤ）であることを特徴とする。
【０００９】
請求項５に記載した発明は、請求項１又は２に記載の発明において、前記車載された機器は、空気調和装置（例えば、実施の形態における空調装置）であることを特徴とする。
【００１０】
請求項６に記載した発明は、請求項１又は２に記載の発明において、前記車載された機器は、カーナビゲーション装置（例えば、実施の形態におけるナビゲーションユニット２）であることを特徴とする。
【発明の効果】
【００１１】
請求項１に記載した発明によれば、車載された機器の所定の操作が実行され終了した後に、当該所定の操作に対するボイスタグが未登録の場合、音声入力手段を介して入力された音声が、ボイスタグ変換手段により認識されてボイスタグに変換され、このボイスタグがボイスタグ登録手段によって所定の操作に関連付けられて記憶処理手段に記憶される。そして、記憶処理手段にボイスタグが登録されたものについては、ボイスタグが入力されると、当該ボイスタグに関連付けられた所定の操作の操作信号が、操作信号出力手段から車載された機器へ出力されて、この機器において操作信号に応じた処理が行われることとなる。したがって、車載された機器による処理が終了したときに、操作者がその所定の操作に対してだけボイスタグを登録すればよいので、予め登録メニューなどを経て全ての操作に対してボイスタグを登録したり、所定の操作の利用頻度を判定してボイスタグを登録する場合と比較して登録作業を簡素化することができ、登録作業が後回しにされたり、処理が複雑化するのを防止して、ハンズフリーシステムの活用を促進することができる効果がある。
【００１２】
請求項２に記載した発明によれば、ボイスタグが未登録の所定の操作に対してボイスタグを登録する必要がないと操作者が判断した場合には、要否設定手段によって、ボイスタグの登録を行わないように設定できるため、ボイスタグの登録作業を必要最小限にすることができる。
【００１３】
請求項３に記載した発明によれば、請求項１又は２の効果に加え、操作信号に従って発呼可能な通信機器、例えば携帯電話機などの操作すなわち発呼および着呼に係る電話番号に対して通話終了後などに直ぐボイスタグを簡単に登録できるため、通話相手のイメージを思い出し易いボイスタグを登録することができ、したがって、ハンズフリーシステムの活用を更に促進することができる。
【００１４】
請求項４に記載した発明によれば、請求項１又は２の効果に加え、操作信号に従って映像又は音楽を再生可能な再生装置、例えばマルチメディアプレーヤなどの操作に対してボイスタグを簡単に登録できるため、ハンズフリーシステムの活用を更に促進することができる。
【００１５】
請求項５に記載した発明によれば、請求項１又は２の効果に加え、空気調和装置の操作に対してボイスタグを簡単に登録できるため、ハンズフリーシステムの活用を更に促進することができる。
【００１６】
請求項６に記載した発明によれば、請求項１又は２の効果に加え、カーナビゲーション装置の操作に対してボイスタグを簡単に登録できるため、ハンズフリーシステムの活用を更に促進することができる。
【発明を実施するための最良の形態】
【００１７】
次に、この発明の第１の実施の形態における音声認識装置について図面を参照して説明する。
図１は、この第１の実施の形態における音声認識装置１の概略構成を示している。この第１の実施の形態の音声認識装置１は、自動車等の車両に搭載されているナビゲーションユニット２に内蔵されており、ボイスタグ変換部５、記憶処理部６、操作信号出力部７、ボイスタグ登録部８、および、要否設定部９を備えて構成されている。ここで、ナビゲーションユニット２は、自車位置を検出して図示しないディスプレイに表示された地図上に検出した自車位置を表示したり、操作入力された目的地への経路誘導を行う機能を備えており、操作者の音声入力を行うマイク１５と、音声出力を行うスピーカ１６と、選択・決定などの各種操作などを行う操作入力部１７と、外部機器２０を接続可能な通信部１８とを備えている。
【００１８】
ボイスタグ変換部５は、マイク１５から入力された音声を認識してボイスタグに変換し、この変換したボイスタグをボイスタグ変換部５及び操作信号出力部７へ出力する。ここで、ボイスタグとは、音声入力に基づいて認識される所定の文字数以内の一連の文言であり、基本的に操作者の記憶に残り易いように操作者が自由に設定することができるようになっている。なお、ボイスタグとして、予め決められた文言の中から選択可能な構成としても良い。
【００１９】
操作信号出力部７は、ナビゲーションユニット２の操作入力部１７から入力される所定の操作入力に応じた操作信号を、通信部１８を介して外部機器２０へ出力したり、ナビゲーションユニット２へ出力する。また操作信号出力部７は、ボイスタグ変換部５よりボイスタグが入力されると、当該ボイスタグに関連付けられた所定の操作パターンを記憶処理部６に登録されている情報から検索し、該当する操作パターンの情報を記憶処理部６から出力させる。また、操作信号出力部７は、記憶処理部６から操作パターンの情報が入力されると、当該操作パターンに対応した操作信号を生成してこれをハンズフリー操作を行う機器である外部機器２０やナビゲーションユニット２などへ出力する。
さらに操作信号出力部７は、ボイスタグを利用せずに外部機器２０などが操作された際に、その操作パターンにボイスタグが関連付けられて記憶処理部６に登録されているか否かを判定し、未登録であると判定された場合には、ボイスタグが関連付けられていない旨の信号をボイスタグ登録部８へ出力する。
【００２０】
記憶処理部６は、ナビゲーションユニット２における目的地検索などの所定の操作や、通信部１８に接続される携帯電話機の発呼、マルチメディアプレーヤの再生など、外部機器２０をナビゲーションユニット２の操作入力部１７によってリモート操作する際の所定の操作に対して、それぞれ個別にボイスタグを関連付けて記憶可能になっている。記憶処理部６は、操作信号出力部７から出力されたボイスタグが関連付けられている所定の操作パターンの情報を操作信号出力部７へ返す。また、ボイスタグ登録部８からの登録要求に従って、所定の操作パターンに対してボイスタグを関連付けた状態で記憶する。
【００２１】
ボイスタグ登録部８は、上述した記憶処理部６にボイスタグを新規登録するものである。より具体的には、ボイスタグ登録部８は、操作信号出力部７から、操作入力部１７で入力された操作パターンにボイスタグが関連付けられていない旨の信号が入力され、且つ、当該操作パターンによる処理が終了した旨の信号が入力されると、スピーカ１６やナビゲーションユニットのディスプレイ（図示略）を通じてボイスタグの入力を促すメッセージを出力する。その後、ボイスタグ変換部５よって認識されたボイスタグが入力されると、当該ボイスタグを処理が終了した操作パターンに関連付けて記憶処理部６へ登録する。また、ボイスタグ登録部８は、要否設定部９により登録不要である旨設定されると、当該操作パターンに対するボイスタグの登録処理を行わないようになっている。
【００２２】
要否設定部９は、操作入力部１７への操作入力に基づいてボイスタグの登録の要否を設定するものであり、設定結果をボイスタグ登録部８へ出力する。この要否設定部９によって、ボイスタグの登録が不要と設定された操作パターンについては、当該所定の操作パターンが再度実行されて終了した場合であっても、ボイスタグの入力を促すメッセージを流さないようになっている。これにより、ボイスタグの登録が一度不要であると設定された操作パターンに対して、登録が必要である旨の再設定がなされない限り、同じ操作を実行する度にボイスタグの登録を促す制御処理が行われるのを防止することができ、煩わしい操作を省略することができる。
【００２３】
この第１の実施の形態の音声認識装置１は上述した構成を備えており、次に、この音声認識装置１における動作を図２のフローチャートを参照しながら説明する。なお、この音声認識装置１の動作は、携帯電話機が外部機器２０として接続される場合を一例に説明する（以下、図４、図６のフローチャートも同様）。
まず、ステップＳ１０１においては、携帯電話機による通話が終わった（終話）か否かを判定する。
【００２４】
ステップＳ１０１における判定結果が「Ｎｏ」（通話中）である場合は、ステップＳ１０１の処理を繰り返す。
ステップＳ１０１における判定結果が「Ｙｅｓ」（終話）の場合はステップＳ１０２に進み、この終話した電話番号への操作パターンにボイスタグが登録済みか否かを判定する。ここで、終話した電話番号への操作パターンとは、例えば、直前に通話していた電話番号へ発呼する操作パターンである。
ステップＳ１０２における判定結果が「Ｙｅｓ」（登録済み）である場合は、ステップＳ１０７に進み、通常モードへ移行して本ルーチンの実行を一旦終了する。ここで、通常モードへ移行とは、ボイスタグを登録するためのモードを抜けることを意味している。
【００２５】
ステップＳ１０２における判定結果が「Ｎｏ」（登録されていない）である場合は、ステップＳ１０３に進み、「名前を登録しますか？」というボイスタグの登録を促すメッセージをスピーカ１６又はディスプレイより出力させる。
【００２６】
次にステップＳ１０４においては、操作者によるボイスタグの登録意思が有るか否かを判定する。ここで、ボイスタグの登録意思は、操作入力部１７としてステアリングホイールに設けられたボタンスイッチなどへ操作入力され、この操作入力に対応した要否設定部９の設定内容に基づいてボイスタグ登録部８で判定される。ここで、登録意思が有ることはボタンスイッチのＯＮ操作が検出されたことによって判定することができ、一方、登録意思が無いことはボタンスイッチへの操作入力が所定時間行われないことによって判定することができる（以下、第２、第３の実施の形態も同様）。なお、操作入力部１７への操作入力に限られず、例えば、マイク１５を介して入力される「ハイ」、「イイエ」などの音声入力に基づいて登録意思を判定してもよい。
ステップＳ１０４における判定結果が「Ｎｏ」（登録しない）である場合は、ステップＳ１０６に進み、ボイスタグを登録する一連の処理を終了するための終了処理を行った後、ステップＳ１０７で通常モードに移行して本ルーチンの実行を一旦終了する。
【００２７】
ステップＳ１０４における判定結果が「Ｙｅｓ」（登録する）である場合は、ステップＳ１０５に進み、ボイスタグの登録処理を行う。具体的には、マイク１５から操作者により入力されたボイスタグをボイスタグ変換部５で認識して、このボイスタグを、ボイスタグ登録部８を介して所定の操作に関連付けして、記憶処理部６へ登録する。なお、このボイスタグを登録する際、ボイスタグの入力が終了した後に、スピーカ１６又はディスプレイを介して確認メッセージを出力して操作者にボイスタグの確定操作がボタン又は音声によりなされた後に記憶処理部６へ登録するようにしてもよい。
【００２８】
次に、ステップＳ１０６においては、ボイスタグを登録する一連の処理を終了するための終了処理を行う。
そして、ステップＳ１０７で通常モードに移行して本ルーチンの実行を一旦終了する。
【００２９】
すなわち、携帯電話機である外部機器２０の着呼又は発呼操作がナビゲーションユニット２の操作入力部１７を介して実行され通話が終了した後に、着呼および発呼操作した電話番号の発呼操作に対してボイスタグが未登録の場合、マイク１５を介して入力された音声が、ボイスタグ変換部５により認識されてボイスタグに変換されて、このボイスタグが、ボイスタグ登録部８によって、終話した電話番号の発呼操作に関連付けられて記憶処理部６に記憶される。
【００３０】
そして、記憶処理部６にボイスタグが登録されているものについては、ボイスタグ変換部５によりボイスタグが認識されると、当該ボイスタグに関連付けられた所定の操作の操作信号が操作信号出力部７から携帯電話機である外部機器２０へ出力され、外部機器２０で操作信号に応じた処理が行われることとなる。
【００３１】
したがって、上述した第１の実施の形態によれば、車載機器において操作信号に応じた処理が終了したときに、操作者がその終了した操作パターンに対してだけボイスタグを登録すればよいので、予め登録メニューなどを経て全ての操作パターンに対してボイスタグを登録したり、操作パターン毎の利用頻度を判定してボイスタグを登録する場合と比較して登録作業が簡素化されるので作業が後回しにされたり、処理が複雑化するのを防止することができるため、ハンズフリーシステムの活用を促進することができる。
【００３２】
また、ボイスタグが未登録である操作パターンに対してボイスタグを登録する必要がないと操作者が判断した場合には、操作入力部１７へ操作入力するだけで要否設定部９によりボイスタグの登録を行わないように設定できるため、ボイスタグの登録作業を必要最小限にすることができる。
【００３３】
さらに、操作信号に従って発呼可能な外部機器２０の操作に対して処理が終了した後に直ぐボイスタグを簡単に登録できるため、操作パターンのイメージを思い出し易いボイスタグを登録することができ、この結果、ハンズフリーシステムの活用を更に促進することができる。
【００３４】
なお、上述した第１の実施の形態における音声認識装置１の動作では、主に携帯電話機を外部機器２０として接続した場合について説明したが、外部機器２０は携帯電話機に限られず、例えば、映像や音楽などが再生可能なマルチメディアプレーヤなどを外部機器２０として接続してもよい。マルチメディアプレーヤなどの外部機器２０の場合、例えば、操作者が操作入力部１７を介して再生順（所定の操作パターン）やイコライザなどの再生条件が設定されると、この再生順および再生条件に基づいて再生されるので、これらの再生順および再生条件に対してボイスタグが未登録であると判定され、一通りの再生が終了したときに、当該再生順および再生条件に対してボイスタグの登録を促すように構成すれば良い。これにより、操作信号に従って映像又は音楽を再生可能なマルチメディアプレーヤなどの所定の操作に対してもボイスタグを簡単に登録することができ、この結果、ハンズフリーシステムの活用を更に促進することができる。
【００３５】
さらに、上述した第１の実施の形態における音声認識装置１の動作では、外部機器２０の操作パターンについてボイスタグの登録を促すメッセージを出力する場合について説明したが、外部機器２０の操作に限られるものではない。例えば、他の態様として、ナビゲーションユニット２における目的地の設定などの操作パターンや、車両用空調装置における温度・風量設定等の操作パターンや、ステアリングホイールや運転席のシート位置が電動で調整可能な装置を備えた車両におけるポジション設定等の操作パターンなど、車載機器の様々な操作パターンに対して、これらの操作パターンに基づく処理終了時にボイスタグの登録を促すように構成しても良い。このように構成することで、ポータブル機器以外の車載機器全般に対してもハンズフリーシステムの活用を促進することができる。
【００３６】
次に、この発明の第２の実施の形態について図面を参照しながら説明する。なお、この第２の実施の形態は、上述した第１の実施の形態において外部機器２０として接続された携帯電話機が有する電話帳（図示略）に対して電話番号を登録する機能を追加したものである。そのため、第１の実施の形態の音声認識装置１と同一部分に同一符号を付して説明する。
【００３７】
図３は、この発明の第２の実施の形態における音声認識装置１０１の概略構成を示したものである。この第２の実施の形態の音声認識装置１０１は、上述した第１の実施の形態と同様に、自動車等の車両に搭載されているナビゲーションユニット２に内蔵されており、ボイスタグ変換部５、記憶処理部６、操作信号出力部７を備え、さらに、電話番号・ボイスタグ登録部１０８、および、要否設定部１０９を備えて構成されている。また、この音声認識装置１０１を備えるナビゲーションユニット２は、操作者の音声入力を行うマイク１５と、音声出力を行うスピーカ１６と、選択・決定などを行う操作入力部１７と、外部機器２０が接続可能な通信部１８とを備えている。ここで、ボイスタグ変換部５、記憶処理部６、および、操作信号出力部７については、上述した第１の実施の形態と同様の構成であるため重複説明を省略する。
【００３８】
電話番号・ボイスタグ登録部１０８は、上述した第１の実施の形態のボイスタグ登録部８の構成に、電話番号を新規登録する機能を追加したものである。この電話番号・ボイスタグ登録部１０８は、通信部１８を介して携帯電話機である外部機器２０から終話した旨の信号が入力されると、直前まで通話していた相手先の電話番号が外部機器２０の電話帳に登録されているか否かを判定し、この判定の結果、未登録の電話番号であると判定された場合にスピーカ１６又は図示しないディスプレイを介して当該電話番号の電話帳への登録を操作者に促すメッセージを出力する。そして、要否設定部１０９に電話番号を登録する設定がなされた場合には、当該電話番号を外部機器２０の電話帳へ新規登録する。
【００３９】
また、電話番号・ボイスタグ登録部１０８は、上述したボイスタグ登録部８と同様に、入力された操作パターン、すなわち終話した直後の電話番号へ発呼するという操作パターンに対してボイスタグが未登録である旨の信号が操作信号出力部７より入力されるとともに、当該操作パターンによる処理すなわち通話が終了した旨の信号が外部機器２０から通信部１８を介して入力されると、スピーカ１６（又はディスプレイ）を通じてボイスタグの入力を促すメッセージを出力する。そして、要否設定部１０９によりボイスタグを登録する旨の設定がなされ、その後、ボイスタグ変換部５より認識されたボイスタグが入力されると、電話番号・ボイスタグ登録部１０８は、当該ボイスタグを、処理が終了した操作パターンに関連付けて記憶処理部６へ登録する。
【００４０】
要否設定部１０９は、操作者による操作入力に基づいて、外部機器２０の電話帳への電話番号の登録の要否を設定するとともに、ボイスタグの登録の要否を設定するものである。この要否設定部１０９によって新規登録しないように設定された電話番号については、電話番号・ボイスタグ登録部１０８により電話帳への登録がなされず、また、ボイスタグの登録もなされない。なお、新規登録が不要と設定された電話番号については、再度同一電話番号への通話がなされた場合に、新規登録を促すか否かを選択できるようにしても良い。また、新規登録がなされた電話番号について、ボイスタグが不要と設定された場合に、ボイスタグの入力を促すメッセージを出力しないようにしてもよい。
【００４１】
この第２の実施の形態の音声認識装置１０１は上述した構成を備えており、次に、この音声認識装置１０１における動作を図４のフローチャートを参照しながら説明する。なお、上述した図２のフローチャートと同一処理には同一符号を付して説明する。
まず、ステップＳ１０１においては、携帯電話機による通話が終わった（終話）か否かを判定する。
【００４２】
ステップＳ１０１における判定結果が「Ｎｏ」（通話中）である場合は、ステップＳ１０１の処理を繰り返す。
ステップＳ１０１における判定結果が「Ｙｅｓ」（終話）の場合はステップＳ２０１に進み、この終話した電話番号が電話帳に登録済みか否かを判定する。
ステップＳ２０１における判定結果が「Ｎｏ」（未登録）である場合は、ステップＳ２０２に進み、「登録しますか？」というメッセージをスピーカ１６又はディスプレイ（図示略）から出力させてステップＳ２０３に進む。
【００４３】
ステップＳ２０３においては、要否設定部１０９の設定内容に基づいて電話番号を電話帳に登録するか否かを判定する。
ステップＳ２０３における判定結果が「Ｎｏ」（登録しない）である場合は、ステップＳ１０７に進み、通常モードに移行して本ルーチンの実行を一旦終了する。
ステップＳ２０３における判定結果が「Ｙｅｓ」（登録する）である場合は、電話帳へ電話番号を新規登録してステップＳ１０３に進む。
【００４４】
一方、ステップＳ２０１における判定結果が「Ｙｅｓ」（電話帳に登録済み）である場合は、ステップＳ１０２に進みボイスタグが登録済みか否かを判定する。
ステップＳ１０２における判定結果が「Ｙｅｓ」（登録済み）である場合は、ステップＳ１０７に進み通常モードに移行して本ルーチンの実行を一旦終了する。
ステップＳ１０２における判定結果が「Ｎｏ」（登録済みではない）である場合は、ステップＳ１０３に進む。
【００４５】
ステップＳ１０３〜ステップＳ１０７においては、上述した第１の実施の形態と同様に、要否設定部１０９におけるボイスタグ登録の要否設定に従って、登録要の場合にのみボイスタグの登録を操作者に促し、ボイスタグの入力がなされると当該ボイスタグを所定の操作パターンすなわち、終話した電話番号への発呼という操作パターンに対してボイスタグを関連付けして記憶処理部６へ登録する。
【００４６】
したがって、上述した第２の実施の形態によれば、とりわけ携帯電話機が外部機器２０として接続されている場合に、電話帳に未登録の電話番号に対する通話が終了すると、当該電話番号の電話帳への登録を促して、操作者が電話帳へ登録する旨設定すると、当該電話番号を電話帳へ登録し、次いで、当該電話番号への発呼という操作パターンに対してボイスタグの登録を促して、ボイスタグの入力がなされると、当該ボイスタグを上記操作パターンに対して関連付けて記憶処理部６へ登録することができる。この結果、電話帳に電話番号が登録されていない場合であっても、終話した直後に未登録の電話番号の登録処理と、この電話番号に対するボイスタグの登録処理とを容易に行うことができる。
【００４７】
次に、この発明の第３の実施の形態について、図５，６を参照しながら説明する。なお、この第３の実施の形態は、上述した第２の実施の形態の電話番号・ボイスタグ登録部１０８に、短縮番号を登録する機能を追加したものであるため、同一部分に同一符号を付して説明する。
【００４８】
図５は、この発明の第３の実施の形態における音声認識装置２０１の概略構成を示したものである。この第３の実施の形態の音声認識装置２０１は、上述した第１、第２の実施の形態と同様に、自動車等の車両に搭載されているナビゲーションユニット２に内蔵されており、ボイスタグ変換部５、記憶処理部６、操作信号出力部７を備え、さらに、電話番号・ボイスタグ登録部２０８、および、要否設定部２０９を備えて構成されている。また、この音声認識装置２０１を備えるナビゲーションユニット２は、操作者の音声入力を行うマイク１５と、音声出力を行うスピーカ１６と、選択・決定などを行う操作入力部１７と、外部機器２０が接続可能な通信部１８とを備えている。ここで、ボイスタグ変換部５、記憶処理部６、操作信号出力部７については、上述した第１、第２の実施の形態と同様の構成であるため重複説明を省略する。
【００４９】
電話番号・短縮番号・ボイスタグ登録部２０８（以下、単に登録部２０８と称す）は、上述した第２の実施の形態の電話番号・ボイスタグ登録部１０８の構成に、電話番号に対応した短縮番号の登録機能を追加したものである。この登録部２０８は、通信部１８を介して携帯電話機である外部機器２０から終話した旨の信号が入力されると、直前まで通話していた相手先の電話番号が、外部機器２０の電話帳に登録されているか否かを判定し、この判定の結果、未登録であると判定された場合にスピーカ１６や図示しないディスプレイを介して当該電話番号の電話帳への登録を操作者に促すメッセージを出力する。
【００５０】
また、登録部２０８は、電話帳への電話番号の登録を促した後、要否設定部２０９の設定結果に基づいて、電話番号を登録する設定（登録要）である場合には、電話帳へ当該電話番号を登録して、さらにボイスタグの登録を促す。
そして、登録部２０８は、ボイスタグが新規登録された電話番号に対して、要否設定部２０９により短縮ダイヤルの登録要と設定され、さらに、短縮ダイヤル用のメモリ（図示略）の残量が十分か否かを判定した結果、残量が十分である場合に、スピーカ１６や図示しないディスプレイを介して短縮ダイヤルの登録を促し、入力された短縮ダイヤルを当該電話番号に関連付けて記憶処理部６へ登録する。
【００５１】
要否設定部２０９は、操作入力部１７への操作入力に基づいて、電話帳への電話番号の登録の要否、ボイスタグの登録の要否、および、短縮ダイヤルの登録の要否をそれぞれ設定するものである。この要否設定部２０９の設定内容に基づいて、登録部２０８による、電話番号、ボイスタグ、短縮番号の登録処理がなされることとなる。
【００５２】
この第３の実施の形態の音声認識装置２０１は、上述した構成を備えており、次に、この音声認識装置２０１における動作を図６のフローチャートを参照しながら説明する。なお、上述した図４のフローチャートと同一処理に同一符号を付して説明する。
まず、ステップＳ１０１においては、携帯電話機による通話が終わった（終話）か否かを判定する。
ステップＳ１０１における判定結果が「Ｎｏ」（通話中）である場合は、ステップＳ１０１の処理を繰り返す。
ステップＳ１０１における判定結果が「Ｙｅｓ」（終話）の場合はステップＳ２０１に進み、この終話した電話番号が電話帳に登録済みか否かを判定する。
ステップＳ２０１における判定結果が「Ｎｏ」（未登録）である場合は、ステップＳ２０２に進み、「登録しますか？」というメッセージをスピーカ１６又はディスプレイ（図示略）から出力させてステップＳ２０３に進む。
【００５３】
ステップＳ２０３においては、要否設定部１０９の設定内容に基づいて電話番号を電話帳に登録するか否かを判定する。
ステップＳ２０３における判定結果が「Ｎｏ」（登録しない）である場合は、ステップＳ１０７に進み、通常モードに移行して本ルーチンの実行を一旦終了する。
ステップＳ２０３における判定結果が「Ｙｅｓ」（登録する）である場合は、電話帳へ電話番号を新規登録してステップＳ２０４に進み、ボイスタグの登録を促すメッセージとして「名前を登録してください」等をスピーカ１６又はディスプレイ（図示略）に出力してステップＳ１０５に進む。
【００５４】
一方、ステップＳ２０１における判定結果が「Ｙｅｓ」（電話帳に登録済み）である場合は、ステップＳ１０２に進みボイスタグが登録済みか否かを判定する。
ステップＳ１０２における判定結果が「Ｎｏ」（ボイスタグ未登録）である場合は、ステップＳ１０３に進み、ステップＳ２０４と同様に、「名前を登録してください」等のメッセージをスピーカ１６又はディスプレイ（図示略）から出力してステップＳ１０４に進む。
【００５５】
次いで、ステップＳ１０４においては、要否設定部１０９の設定内容に基づいてボイスタグを登録するか否かを判定する。
ステップＳ１０４における判定結果が「Ｎｏ」（登録否）である場合は、ステップＳ１０６において終了処理をし、ステップＳ１０７において通常モードに移行した後、本ルーチンの実行を一旦終了する。
ステップＳ１０４における判定結果が「Ｙｅｓ」（登録要）である場合は、ステップＳ１０５において、ボイスタグ変換部５によって認識されるボイスタグを電話番号に関連付けて記憶処理部６に登録する。
【００５６】
一方、ステップＳ１０２における判定結果が「Ｙｅｓ」（ボイスタグ登録済み）である場合は、ステップＳ３０１に進み、短縮ダイヤルが登録済みか否かを判定する。
ステップＳ３０１における判定の結果が「Ｙｅｓ」（短縮ダイヤル登録済み）である場合は、通常モードに移行して本ルーチンの実行を一旦終了する。
ステップＳ３０１における判定結果が「Ｎｏ」（短縮ダイヤル未登録）である場合は、ステップＳ３０２に進む。
【００５７】
ステップＳ３０２においては、短縮ダイヤルメモリ（図示略）がフル、すなわち記憶可能な残量がないか否かを判定する。
ステップＳ３０２における判定結果が「Ｙｅｓ」（メモリフル）である場合は、ステップＳ１０６に進み、終了処理をしたのちステップＳ１０７で通常モードに移行し、本ルーチンの実行を一旦終了する。
ステップＳ３０２における判定結果が「Ｎｏ」（メモリ空き有り）である場合は、ステップＳ３０３に進み短縮ダイヤルの登録を促すメッセージをスピーカ１６又はディスプレイ（図示略）により出力する。
【００５８】
次に、ステップＳ３０４においては、要否設定部２０９の設定内容に基づいて、短縮ダイヤルを登録するか否かを判定する。
ステップＳ３０４における判定結果が「Ｎｏ」（登録否）である場合は、上述したステップＳ１０６、ステップＳ１０７の処理を順次実行した後、本ルーチンの実行を一旦終了する。
ステップＳ３０４における判定結果が「Ｙｅｓ」（登録要）である場合は、ステップＳ３０５に進む。
【００５９】
ステップＳ３０５においては、操作者による短縮ダイヤルの入力に基づいて、電話番号に対する短縮ダイヤルの登録を行う。
次いで、上述したステップＳ１０６、ステップＳ１０７の処理を順次実行した後、本ルーチンの実行を一旦終了する。
【００６０】
したがって、上述の第３の実施の形態によれば、上述した電話番号に対するボイスタグの登録と同様に、ボイスタグが関連付けられて登録された電話番号に対して短縮ダイヤルを関連付けて記憶処理部６へ登録することができため、操作者による短縮ダイヤルの操作入力部１７からの操作入力に基づいて所定の電話番号に対する発呼を容易に実行することができ、したがって、操作者による入力方法の選択肢を広げることができるため、更なる商品性の向上を図ることができる。
【図面の簡単な説明】
【００６１】
【図１】本発明の第１の実施の形態における音声入力装置の概略構成図である。
【図２】本発明の第１の実施の形態における音声入力装置の動作を示すフローチャートである。
【図３】本発明の第２の実施の形態における図１に相当する概略構成図である。
【図４】本発明の第２の実施の形態における図２に相当するフローチャートである。
【図５】本発明の第３の実施の形態における図１に相当する概略構成図である。
【図６】本発明の第３の実施の形態における図２に相当するフローチャートである。
【符号の説明】
【００６２】
２  ナビゲーションユニット（車載された機器）
５  ボイスタグ変換部（ボイスタグ変換手段）
６  記憶処理部（記憶処理手段）
７  操作信号出力部（操作信号出力手段）
８，１０８，２０８  ボイスタグ登録部（ボイスタグ登録手段）
９，１０９，２０９  要否設定部（要否設定手段）
１５  マイク（音声入力手段）
２０  外部機器（車載された機器）
【図１】
2010048874.tif 000003
【図２】
2010048874.tif 000004
【図３】
2010048874.tif 000005
【図４】
2010048874.tif 000006
【図５】
2010048874.tif 000007
【図６】
2010048874.tif 000008